(57)【要約】【課題】映像を観視する観視者の視覚的負担を、簡易な構成にて確実に軽減する。【解決手段】映像処理装置１のプロファイル蓄積部１４は、観視者情報または端末情報のプロファイルを蓄積する。データ受信部１２は、制御信号から、映像信号を加工する際に補助となるデータを抽出する。映像解析部１３は、映像信号の画素値列Ｉを解析し、映像の時空間的な変化の特徴を示す解析結果を生成する。制御部１５は、データ受信部１２により抽出されたデータ、映像解析部１３により生成された解析結果、及びプロファイル蓄積部１４から入力したプロファイルに基づいて、映像の加工内容を決定する。映像加工部１６は、映像解析部１３により決定された加工内容に応じて、映像信号を加工する。【選択図】図１
2019103099.tif 000002
【特許請求の範囲】
【請求項１】
映像信号を入力して加工し、加工後の映像信号を生成する映像処理装置において、
前記加工後の映像信号に基づいた映像の観視者に関する情報、前記加工後の映像信号に基づいた映像が表示される表示デバイスに関する情報、または前記観視者に関する情報及び前記表示デバイスに関する情報がプロファイルとして蓄積されたプロファイル蓄積部と、
前記映像信号を解析し、映像の変化の特徴を示す解析結果を生成する映像解析部と、
前記映像解析部により生成された前記解析結果、及び前記プロファイル蓄積部に蓄積された前記プロファイルに基づいて、前記映像信号の加工内容を決定する制御部と、
前記制御部により決定された前記加工内容に応じて、前記映像信号を加工し、前記加工後の映像信号を生成する映像加工部と、
を備えたことを特徴とする映像処理装置。
【請求項２】
請求項１に記載の映像処理装置において、
さらに、前記映像信号を加工する際に補助となる補助データを含む制御信号を入力し、当該制御信号から前記補助データを抽出する制御信号入力部を備え、
前記制御部は、
前記映像解析部により生成された前記解析結果、前記プロファイル蓄積部に蓄積された前記プロファイル、及び前記制御信号入力部により抽出された前記補助データに基づいて、前記映像信号の加工内容を決定する、ことを特徴とする映像処理装置。
【請求項３】
請求項１に記載の映像処理装置において、
前記映像信号を３Ｄ映像コンテンツの信号とし、
前記プロファイル蓄積部には、
前記表示デバイスが前記３Ｄ映像コンテンツに対応しているか否かを示す３Ｄ対応フラグのプロファイルが蓄積されており、
前記映像解析部は、
前記映像信号の画素値列からカット点を検出し、当該カット点の有無を示すカットフラグを生成し、
前記制御部は、
前記プロファイル蓄積部に蓄積された前記３Ｄ対応フラグのプロファイルが前記３Ｄ映像コンテンツに対応していることを示しており、かつ前記映像解析部により生成された前記カットフラグがカット点有りを示している場合、前記映像信号の前記カット点を基準にフェードアウトして黒画面へ移行した後、当該黒画面からフェードインする黒フェード挿入を前記加工内容として決定し、
前記映像加工部は、
前記制御部により決定された前記加工内容に応じて、前記映像信号に対して前記黒フェード挿入の加工を行い、前記加工後の映像信号を生成する、ことを特徴とする映像処理装置。
【請求項４】
請求項２に記載の映像処理装置において、
前記映像信号を３Ｄ映像コンテンツの信号とし、
前記プロファイル蓄積部には、
前記表示デバイスが前記３Ｄ映像コンテンツに対応しているか否かを示す３Ｄ対応フラグのプロファイルが蓄積されており、
前記制御信号入力部は、
前記映像信号に編集点があり、当該編集点がカット点であるか否かを示す編集点情報を含む制御信号を入力し、当該制御信号から前記編集点情報を抽出し、
前記制御部は、
前記プロファイル蓄積部に蓄積された前記３Ｄ対応フラグのプロファイルが前記３Ｄ映像コンテンツに対応していることを示しており、かつ前記制御信号入力部により抽出された前記編集点情報がカット点有りを示している場合、前記映像信号の前記カット点を基準にフェードアウトして黒画面へ移行した後、当該黒画面からフェードインする黒フェード挿入を前記加工内容として決定し、
前記映像加工部は、
前記制御部により決定された前記加工内容に応じて、前記映像信号に対して前記黒フェード挿入の加工を行い、前記加工後の映像信号を生成する、ことを特徴とする映像処理装置。
【請求項５】
コンピュータを、請求項１から４までのいずれか一項に記載の映像処理装置として機能させるためのプログラム。
【発明の詳細な説明】
【技術分野】
【０００１】
本発明は、映像処理装置及びプログラムに関し、特に、映像を加工することにより、映像観視時の視覚的負担を軽減する技術に関する。
【背景技術】
【０００２】
従来、テレビ番組において点滅または動揺を含む映像を観視したり、３Ｄテレビにて大きな視差、視差の変化、奥行きの変化またはカットを含む映像を観視したりすることがある。このような映像に起因して、観視者が疲労し違和を感じるという問題が指摘されている。
【０００３】
これらの問題のうち、映像の点滅に起因する違和感を軽減するための技術が開示されている（例えば特許文献１を参照）。この技術は、映像が所定の周波数範囲のフリッカを含む場合に、当該映像に対して画像処理を施し、フリッカの度合いを抑制するものである。
【０００４】
また、３Ｄテレビを観視する際の違和感を軽減するために、黒フェードを挿入する技術（以下、黒フェード挿入という。）が知られている。この技術は、例えば３Ｄ映像コンテンツを提供するビデオゲーム機等において、視点の異なる映像が時間遷移する際に、一旦、黒画面へとフェードアウトした後、別視点の３Ｄ映像へとフェードインするものである。
【０００５】
一方で、観視者または観視環境に応じて、コンテンツの表現形態を変換する技術が開示されている（例えば特許文献２を参照）。この技術は、受信装置において、送信装置から送信されたコンテンツ、代替提示コンテンツ及びメタデータを受信し、メタデータと視聴プロファイル及び視聴環境プロファイルとを比較することで、代替提示コンテンツを導出し、コンテンツの表現形態を変換するものである。
【先行技術文献】
【特許文献】
【０００６】
【特許文献１】特許第４５８０３４７号公報
【特許文献２】特許第４５８０３４５号公報
【発明の概要】
【発明が解決しようとする課題】
【０００７】
点滅または視点の切り替え等の映像に起因する違和感の度合いは絶対的なものではなく、観視者の年齢または体質、観視環境、映像の内容等によって異なるものである。これは、映像に起因する視覚的負担の度合いについても同様である。
【０００８】
観視環境は、例えば視距離、周囲の明るさ、画面の大きさ、画面の明るさ、３Ｄ映像コンテンツに対応しているか否か等である。また、映像の内容は、動きの大小、映像遷移の頻度、字幕の有無等である。
【０００９】
例えば映像の点滅は、小児に対して視覚的負担の度合いが高いのに対し、大人に対してはさほど高くない。前述の特許文献１の技術を用いることにより、所定の基準を逸脱する映像については画一的に画像処理が施されるため、視覚的負担の度合いを低くすることができる。しかし、観視者の年齢等によっては、画像処理が施された映像は必要以上のフリッカの映像となってしまい、映像の躍動感を損失してしまう可能性がある。
【００１０】
また、３Ｄ映像コンテンツに対応するビデオゲーム機には、視差を調整する機能を有するものがある。このビデオゲーム機は、視点の異なる映像が時間遷移する際に、視差を調整し、視差を抑制した映像（例えば、視差無しの２次元映像）を生成する。
【００１１】
このような視差調整機能を用いることにより、視点の異なる映像が時間遷移する際の問題を、黒フェード挿入機能を用いることなく解決することができる。つまり、視差調整機能により映像の視差を抑制することで、カット編集された映像が時間遷移する際の観視者が受ける違和感を低減することができるものと想定される。
【００１２】
また、映像に起因する視覚的負担の度合いを軽減するために、前述の特許文献２の技術を用いることが想定される。この技術は、観視者または観視環境に対応すると共に、制作者の意図を反映したコンテンツを提供することを目的とするものである。
【００１３】
この技術では、制作者の意図を反映するために、予め送信装置から受信装置へ、代替提示コンテンツ及びメタデータを送信する必要がある。受信装置は、受信したメタデータと、予め設定された視聴プロファイル及び視聴環境プロファイルとを比較することで、代替提示コンテンツを導出し、コンテンツの表現形態を変換する。これにより、元の映像を、観視者及び観視環境に応じた映像に加工することができ、観視者の視覚的負担を軽減することができる。
【００１４】
しかしながら、特許文献２の技術では、受信装置にて映像加工の有無、加工内容等を判定するために、送信装置は、代替提示コンテンツ及びメタデータを生成して送信する必要がある。このため、送信装置は処理負荷が高いという問題があった。また、受信装置は、映像加工の有無、加工内容等を判定するために、代替提示コンテンツ及びメタデータを用いることが必須であり、処理負荷が高いという問題があった。
【００１５】
また、特許文献２の技術では、映像の加工処理は、制作者の意図が反映された代替提示コンテンツの範囲内で行われることとなり、代替提示コンテンツによっては、観視者及び観視環境を十分に反映することができない場合がある。このように、特許文献２の技術では、映像の加工処理が代替提示コンテンツの制限を受けてしまい、映像に起因する視覚的負担を十分に軽減することができない場合があるという問題があった。
【００１６】
そこで、本発明は前記課題を解決するためになされたものであり、その目的は、映像を観視する観視者の視覚的負担を、簡易な構成にて確実に軽減可能な映像処理装置及びプログラムを提供することにある。
【課題を解決するための手段】
【００１７】
前記課題を解決するために、請求項１の映像処理装置は、映像信号を入力して加工し、加工後の映像信号を生成する映像処理装置において、前記加工後の映像信号に基づいた映像の観視者に関する情報、前記加工後の映像信号に基づいた映像が表示される表示デバイスに関する情報、または前記観視者に関する情報及び前記表示デバイスに関する情報がプロファイルとして蓄積されたプロファイル蓄積部と、前記映像信号を解析し、映像の変化の特徴を示す解析結果を生成する映像解析部と、前記映像解析部により生成された前記解析結果、及び前記プロファイル蓄積部に蓄積された前記プロファイルに基づいて、前記映像信号の加工内容を決定する制御部と、前記制御部により決定された前記加工内容に応じて、前記映像信号を加工し、前記加工後の映像信号を生成する映像加工部と、を備えたことを特徴とする。
【００１８】
また、請求項２の映像処理装置は、請求項１に記載の映像処理装置において、さらに、前記映像信号を加工する際に補助となる補助データを含む制御信号を入力し、当該制御信号から前記補助データを抽出する制御信号入力部を備え、前記制御部が、前記映像解析部により生成された前記解析結果、前記プロファイル蓄積部に蓄積された前記プロファイル、及び前記制御信号入力部により抽出された前記補助データに基づいて、前記映像信号の加工内容を決定する、ことを特徴とする。
【００１９】
また、請求項３の映像処理装置は、請求項１に記載の映像処理装置において、前記映像信号を３Ｄ映像コンテンツの信号とし、前記プロファイル蓄積部には、前記表示デバイスが前記３Ｄ映像コンテンツに対応しているか否かを示す３Ｄ対応フラグのプロファイルが蓄積されており、前記映像解析部が、前記映像信号の画素値列からカット点を検出し、当該カット点の有無を示すカットフラグを生成し、前記制御部が、前記プロファイル蓄積部に蓄積された前記３Ｄ対応フラグのプロファイルが前記３Ｄ映像コンテンツに対応していることを示しており、かつ前記映像解析部により生成された前記カットフラグがカット点有りを示している場合、前記映像信号の前記カット点を基準にフェードアウトして黒画面へ移行した後、当該黒画面からフェードインする黒フェード挿入を前記加工内容として決定し、前記映像加工部が、前記制御部により決定された前記加工内容に応じて、前記映像信号に対して前記黒フェード挿入の加工を行い、前記加工後の映像信号を生成する、ことを特徴とする。
【００２０】
また、請求項４の映像処理装置は、請求項２に記載の映像処理装置において、前記映像信号を３Ｄ映像コンテンツの信号とし、前記プロファイル蓄積部には、前記表示デバイスが前記３Ｄ映像コンテンツに対応しているか否かを示す３Ｄ対応フラグのプロファイルが蓄積されており、前記制御信号入力部が、前記映像信号に編集点があり、当該編集点がカット点であるか否かを示す編集点情報を含む制御信号を入力し、当該制御信号から前記編集点情報を抽出し、前記制御部が、前記プロファイル蓄積部に蓄積された前記３Ｄ対応フラグのプロファイルが前記３Ｄ映像コンテンツに対応していることを示しており、かつ前記制御信号入力部により抽出された前記編集点情報がカット点有りを示している場合、前記映像信号の前記カット点を基準にフェードアウトして黒画面へ移行した後、当該黒画面からフェードインする黒フェード挿入を前記加工内容として決定し、前記映像加工部が、前記制御部により決定された前記加工内容に応じて、前記映像信号に対して前記黒フェード挿入の加工を行い、前記加工後の映像信号を生成する、ことを特徴とする。
【００２１】
さらに、請求項５のプログラムは、コンピュータを、請求項１から４までのいずれか一項に記載の映像処理装置として機能させることを特徴とする。
【発明の効果】
【００２２】
以上のように、本発明によれば、映像を観視する観視者の視覚的負担を、簡易な構成にて確実に軽減することが可能となる。
【図面の簡単な説明】
【００２３】
【図１】本発明の実施形態による映像処理装置の構成例を示すブロック図である。
【図２】制御部の処理例を示すフローチャートである。
【図３】映像加工モードＭ＝１の場合に、点滅を含む映像に対して時間方向平滑化の映像加工を行う例を説明する図である。
【図４】映像加工モードＭ＝２の場合に、カットによる場面転換を含む映像に対して黒フェード挿入の映像加工を行う例を説明する図である。
【図５】本発明の実施形態における他の第１構成例を示すブロック図である。
【図６】本発明の実施形態における他の第２構成例を示すブロック図である。
【発明を実施するための形態】
【００２４】
以下、本発明を実施するための形態について図面を用いて詳細に説明する。本発明の映像処理装置は、映像信号から映像の変化の特徴を示す解析結果を生成し、解析結果、観視者の情報及び観視環境の情報に基づいて、映像の加工内容を決定することを特徴とする。
【００２５】
これにより、映像処理装置は、映像の加工内容を決定する際に、映像信号の制作者の意図が反映されたコンテンツデータ（前述の特許文献２では代替提示コンテンツ）及びメタデータを用いる必要がない。したがって、このようなコンテンツデータ及びメタデータを生成したり、送受信したりする必要がないから、処理負荷を低減することができる。
【００２６】
また、映像の加工内容は、映像信号の制作者の意図が反映されたコンテンツデータ及びメタデータの範囲で決定されることがなく、映像信号の解析結果、観視者の情報及び観視環境の情報に基づいて決定される。これにより、映像の加工内容は、映像信号の制作者の意図よりも、観視者の情報及び観視環境の情報を反映した内容となる。したがって、映像を観視する観視者の視覚的負担を、簡易な構成にて確実に軽減することが可能となる。
【００２７】
〔映像処理装置〕
次に、本発明の実施形態による映像処理装置について説明する。図１は、本発明の実施形態による映像処理装置の構成例を示すブロック図である。この映像処理装置１は、映像受信部（映像信号入力部）１１、データ受信部（制御信号入力部）１２、映像解析部１３、プロファイル蓄積部１４、制御部１５及び映像加工部１６を備えている。
【００２８】
映像受信部１１は、図示しない送信装置により送信された映像信号を受信し、映像信号を時空間的な画素値列Ｉに変換する。そして、映像受信部１１は、映像信号の画素値列Ｉを映像解析部１３及び映像加工部１６に出力する。
【００２９】
尚、映像受信部１１の機能には、映像信号の復調、及び圧縮されたビットストリームの復号も含まれる。また、映像受信部１１は、時系列の２次元画像を動画像の映像信号として受信するようにしてもよいし、複数の視点の異なる動画像（多眼立体映像）の映像信号を受信するようにしてもよい。また、映像受信部１１は、映像信号が格納された図示しない蓄積媒体から、映像信号を読み出すようにしてもよい。以下、時刻t及び画像座標（ｘ，ｙ）として、映像受信部１１の出力する画素値列ＩをＩ（ｔ，ｘ，ｙ）とする。
【００３０】
データ受信部１２は、映像信号及び音声信号以外に伝送または蓄積されるデータを制御信号として受信し、制御信号からデータ（補助データ）を抽出し、抽出したデータを制御部１５に出力する。
【００３１】
制御信号には、映像信号を加工する際に補助となる補助データが含まれる。例えば補助データは、映像の編集点（場面転換の時刻、カット、フェード等の映像効果の種類）、映像酔いまたは光感受性発作のリスクを定量化した数値データ、コンテンツのジャンル（ニュース番組、スポーツ番組、娯楽番組、教育番組等の種別）、権利情報（著作権者、映像の加工処理の可否、加工処理が許可される場合の加工の種類）、観視対象年齢等である。
【００３２】
ここでは、データ受信部１２は、制御信号から、映像の加工処理の可否を示す権利情報を抽出し、これを加工可否情報Ｒとする。また、データ受信部１２は、制御信号から、現時点の映像信号に編集点が存在するか否かを示す情報、及び編集点が存在する場合に当該編集点がカット点であるか否かを示す情報を抽出し、これを編集点情報Ｅとする。データ受信部１２は、加工可否情報Ｒ及び編集点情報Ｅのデータを制御部１５に出力する。
【００３３】
尚、データ受信部１２は、制御信号を、データ放送方式における独立ＰＥＳ（Packetized Elementary Stream）、ＤＳＭ−ＣＣ（Digital Storage Media Command and Control）セクション形式、イベントメッセージ伝送方式またはＥＰＧ（Electronic Programming Guide：電子番組表）を経路として受信するようにしてもよい。また、データ受信部１２は、制御信号を、インターネット等の通信回線を経路として受信するようにしてもよい。また、データ受信部１２は、制御信号が格納された図示しない蓄積媒体から、制御信号を読み出すようにしてもよい。
【００３４】
映像解析部１３は、映像受信部１１から映像信号の画素値列Ｉを入力し、映像信号の画素値列Ｉを解析し、映像を全体として観た場合の時間的な変化の特徴量、空間的な変化の特徴量、または時間的及び空間的な変化の特徴量を示す解析結果を生成する。そして、映像解析部１３は、解析結果を制御部１５に出力する。
【００３５】
例えば、映像解析部１３は、画素値列Ｉである時系列の画素値からカット点を検出し、カット点の有無を示すフラグを、解析結果として生成する。
【００３６】
具体的には、映像解析部１３は、以下の式に示すように、ある時刻の画素値及び別の時刻（例えば、１フレーム前）の画素値を用いて、画素位置である画像座標（ｘ，ｙ）毎の絶対値差分を算出し、画面内における当該絶対値差分の総和Ｓを求める。
【００３７】
そして、映像解析部１３は、絶対値差分の総和Ｓが所定の閾値θ（θは0以上の実数）を超えている場合、カット点有りを示すカット検出値（カットフラグ）Ｃ＝１を設定する。また、映像解析部１３は、絶対値差分の総和Ｓが所定の閾値θを超えていない場合、カット点無しを示すカット検出値Ｃ＝０を設定する。
【数１】
2019103099.tif 000003
【００３８】
また、例えば、映像解析部１３は、画素値列Ｉである時系列の画素値から、映像のフリッカ（反復的な輝度変化）を検出し、フリッカの有無を示すフラグを、解析結果として生成する。この場合、映像解析部１３は、フリッカの程度を示す検出値を解析結果として生成するようにしてもよい。
【００３９】
具体的には、映像解析部１３は、画素位置である画像座標（ｘ，ｙ）毎に、画素値列Ｉから輝度変化値を算出し、輝度変化値が所定値を超える場合（例えば、輝度変化値が１０ＩＲＥ（Institute of Radio Engineers）を超える場合）の頻度を求める。そして、映像解析部１３は、頻度が所定値を超える（例えば、頻度が１秒間に３回を超える）画素（点滅画素）の面積を求め、画像内の面積割合（フレーム内の総画素数に対する点滅画素の割合）を求める。
【００４０】
映像解析部１３は、面積割合が２５％以下の場合、フリッカ検出値Ｆ＝０を設定し、面積割合が２５％を超える場合、その面積割合をフリッカ検出値Ｆに設定する。また、映像解析部１３は、面積割合が２５％以下の場合、フリッカフラグ＝０を設定し、面積割合が２５％を超える場合、フリッカフラグ＝１を設定する。
【００４１】
また、例えば、映像受信部１１が多眼立体映像の映像信号（３Ｄ映像コンテンツの信号）を受信する場合、映像解析部１３は、視点毎の画素値列Ｉから視差の時間変化を検出し、これを解析結果として生成する。
【００４２】
具体的には、映像解析部１３は、ある時刻において、左眼から観た画面全体の画素値と右眼から観た画面全体の画素値との間の差に基づいて視差を求め、別の時刻において、同様に視差を求める。そして、映像解析部１３は、ある時刻の視差及び別の時刻の視差から視差の変化量を求める。映像解析部１３は、視差の変化量が所定の閾値を超えている場合、カット点有りを示すカット検出値Ｃ＝１を設定する。また、映像解析部１３は、視差の変化量が所定の閾値を超えていない場合、カット点無しを示すカット検出値Ｃ＝０を設定する。
【００４３】
また、例えば、映像解析部１３は、画素値列Ｉである時系列の画素値から、色替わり点を検出し、色変わり点の有無を示すフラグを、解析結果として生成する。
【００４４】
ここでは、映像解析部１３は、画素値列Ｉからカット点を検出し、カット点の有無を示すカット検出値Ｃを解析結果として生成すると共に、画素値列Ｉからフリッカを検出し、フリッカの程度を示すフリッカ検出値Ｆを解析結果として生成する。そして、映像解析部１３は、カット検出値Ｃ及びフリッカ検出値Ｆの解析結果を制御部１５に出力する。
【００４５】
プロファイル蓄積部１４は、予め観視者毎に個別に設定された観視者情報、及び映像処理装置１の単体毎（または機種毎）に設定された端末情報がプロファイルとして蓄積されている。プロファイル蓄積部１４は、観視者情報及び端末情報のプロファイルを制御部１５に出力する。
【００４６】
観視者情報は、観視者の年齢、視距離、嗜好（好みの番組ジャンル等）、光感受性発作のリスクの有無、映像酔いのリスクの有無等である。
【００４７】
端末情報は、映像処理装置１が３Ｄ映像コンテンツに対応しているか否か（３Ｄテレビであるか否か）、映像処理装置１の種類（ＬＣＤ（Liquid Crystal Display：液晶表示装置）、ＯＬＥＤ（Organic Light Emitting Diode：有機発光ダイオード）、ＰＤＰ（Plasma Display Panel：プラズマディスプレイパネル）、ＣＲＴ（Cathode Ray Tube：陰極線管）等）、表示デバイスの最高輝度、画面サイズ等である。
【００４８】
尚、プロファイル蓄積部１４は、観視者情報のプロファイルのみを蓄積するようにしてもよいし、端末情報のプロファイルのみを蓄積するようにしてもよい。
【００４９】
ここでは、プロファイル蓄積部１４は、観視者に光感受性発作のリスクがあるかないかを示す光感受性発作リスクフラグＰの観視者情報、及び映像処理装置１が３Ｄ映像コンテンツに対応しているか否かを示す３Ｄ対応フラグＤの端末情報をプロファイルとして制御部１５に出力する。
【００５０】
制御部１５は、データ受信部１２からデータを入力すると共に、映像解析部１３から解析結果を入力し、さらにプロファイル蓄積部１４からプロファイルを入力する。そして、制御部１５は、データ、解析結果及びプロファイルに基づいて、映像受信部１１が受信した映像信号に適用する映像の加工内容を決定し、映像の加工内容を示す制御値を映像加工部１６に出力する。例えば、制御部１５は、場合分け（if-then）ルールにより、映像の加工内容を決定する。
【００５１】
ここでは、制御部１５は、データ受信部１２から加工可否情報Ｒ及び編集点情報Ｅのデータを入力し、映像解析部１３からカット検出値Ｃ及びフリッカ検出値Ｆの解析結果を入力する。また、制御部１５は、プロファイル蓄積部１４から光感受性発作リスクフラグＰ及び３Ｄ対応フラグＤのプロファイルを入力する。
【００５２】
制御部１５は、加工可否情報Ｒ、編集点情報Ｅ、カット検出値Ｃ、フリッカ検出値Ｆ、光感受性発作リスクフラグＰ及び３Ｄ対応フラグＤに基づいて、映像の加工内容を決定する。そして、制御部１５は、映像の加工内容を示す映像加工モードＭの制御値を映像加工部１６に出力する。
【００５３】
（データ受信部１２から入力した加工可否情報Ｒ及び編集点情報Ｅのデータ）
加工可否情報Ｒは、データ受信部１２が受信した制御信号に含まれる情報であり、外部から送られてきた情報である。編集点情報Ｅは、データ受信部１２が受信する制御信号として、外部から送られてきた情報であるか否かを示すと共に、外部から送られてきた情報である場合、編集の内容が含まれる。
【００５４】
加工可否情報Ｒ＝０は、光感受性発作防止目的以外の映像加工が禁止されていることを示し、加工可否情報Ｒ＝１は、映像加工が許諾されていることを示す。また、編集点情報Ｅ＝０は、編集点情報が送られてきていないことを示す。さらに、編集点情報Ｅ＝１は、編集点情報が送られてきており、現時点の映像がカット点でないことを示し、編集点情報Ｅ＝２は、編集点情報が送られてきており、現時点の映像がカット点であることを示す。
【００５５】
（映像解析部１３から入力したカット検出値Ｃ及びフリッカ検出値Ｆの解析結果）
カット検出値Ｃ及びフリッカ検出値Ｆは、映像解析部１３により映像信号の画素値列Ｉから生成された解析結果である。カット検出値Ｃ＝０は、現時点の映像がカット点でないことを示し、カット検出値Ｃ＝１は、現時点の映像がカット点であることを示す。また、フリッカ検出値Ｆ＝０は、画面面積の全てにおいてフリッカが発生していない、または２５％以下の画面面積の領域にフリッカが発生しており、現時点の映像に全体としてフリッカが発生していないことを示す。フリッカ検出値Ｆ＞０は、２５％を超えるＦ％の画面面積の領域にフリッカが発生しており、現時点の映像に全体としてフリッカが発生していることを示す。
【００５６】
（プロファイル蓄積部１４から入力した光感受性発作リスクフラグＰ及び３Ｄ対応フラグＤのプロファイル）
光感受性発作リスクフラグＰは、プロファイル蓄積部１４から入力した観視者情報であり、３Ｄ対応フラグＤは、プロファイル蓄積部１４から入力した端末情報である。光感受性発作リスクフラグＰ＝０は、観視者に光感受性発作のリスクがないことを示し、光感受性発作リスクフラグＰ＝１は、観視者に光感受性発作のリスクがあることを示す。また、３Ｄ対応フラグＤ＝０は、映像処理装置１が３Ｄ映像コンテンツに対応していないことを示し、３Ｄ対応フラグＤ＝１は、映像処理装置１が３Ｄ映像コンテンツに対応していることを示す。
【００５７】
（制御部１５が出力する映像加工モードＭの制御値）
映像加工モードＭ＝０は、映像加工を行わないことを示し、映像加工モードＭ＝１は、映像加工として時間方向平滑化を行うことを示す。映像加工モードＭ＝２は、映像加工として黒フェード挿入を行うことを示し、映像加工モードＭ＝３は、映像加工として、時間方向平滑化及び黒フェード挿入を行うことを示す。
【００５８】
図２は、制御部１５の処理例を示すフローチャートである。制御部１５は、データ受信部１２から加工可否情報Ｒ及び編集点情報Ｅのデータを、映像解析部１３からカット検出値Ｃ及びフリッカ検出値Ｆの解析結果を、プロファイル蓄積部１４から光感受性発作リスクフラグＰ及び３Ｄ対応フラグＤのプロファイルをそれぞれ入力する（ステップＳ２０１）。
【００５９】
制御部１５は、映像加工モードＭ＝０（映像加工を行わない）を初期設定し（ステップＳ２０２）、光感受性発作リスクフラグＰ＝０（光感受性発作のリスクがない）であるか否かを判定する（ステップＳ２０３）。
【００６０】
制御部１５は、ステップＳ２０３において、光感受性発作リスクフラグＰ＝０でないと判定した場合（ステップＳ２０３：Ｎ）、観視者に光感受性発作のリスクがあると判断し、ステップＳ２０４へ移行する。
【００６１】
一方、制御部１５は、ステップＳ２０３において、光感受性発作リスクフラグＰ＝０であると判定した場合（ステップＳ２０３：Ｙ）、観視者に光感受性発作のリスクがないと判断し、ステップＳ２０６へ移行する。
【００６２】
制御部１５は、ステップＳ２０３（Ｎ）から移行して、フリッカ検出値Ｆ≦２５（画面面積の２５％以下の領域にフリッカが発生している）である否かを判定する（ステップＳ２０４）。
【００６３】
制御部１５は、ステップＳ２０４において、フリッカ検出値Ｆ≦２５でないと判定した場合（ステップＳ２０４：Ｎ）、現時点の映像において画面面積の２５％を超える領域にフリッカが発生していると判断する。そして、制御部１５は、映像加工モードＭ＝０に１を加算し、映像加工モードＭ＝１（映像加工として時間方向平滑化を行う）を設定し（ステップＳ２０５）、ステップＳ２０６へ移行する。
【００６４】
一方、制御部１５は、ステップＳ２０４において、フリッカ検出値Ｆ≦２５であると判定した場合（ステップＳ２０４：Ｙ）、現時点の映像において画面面積の２５％以下の領域にフリッカが発生していると判断し、ステップＳ２０６へ移行する。
【００６５】
制御部１５は、ステップＳ２０３（Ｙ）、ステップＳ２０４（Ｙ）またはステップＳ２０５から移行して、３Ｄ対応フラグＤ＝０（映像処理装置１が３Ｄ映像コンテンツに対応していない）か否かを判定する（ステップＳ２０６）。
【００６６】
制御部１５は、ステップＳ２０６において、３Ｄ対応フラグＤ＝０でないと判定した場合（ステップＳ２０６：Ｎ）、映像処理装置１が３Ｄ映像コンテンツに対応していると判断し、ステップＳ２０７へ移行する。
【００６７】
一方、制御部１５は、ステップＳ２０６において、３Ｄ対応フラグＤ＝０であると判定した場合（ステップＳ２０６：Ｙ）、映像処理装置１が３Ｄ映像コンテンツに対応していないと判断し、ステップＳ２１２へ移行する。
【００６８】
制御部１５は、ステップＳ２０６（Ｎ）から移行して、加工可否情報Ｒ＝０（光感受性発作防止目的以外の映像加工が禁止されている）か否かを判定する（ステップＳ２０７）。
【００６９】
制御部１５は、ステップＳ２０７において、加工可否情報Ｒ＝０でないと判定した場合（ステップＳ２０７：Ｎ）、映像加工が許諾されていると判断し、ステップＳ２０８へ移行する。
【００７０】
一方、制御部１５は、ステップＳ２０７において、加工可否情報Ｒ＝０であると判定した場合（ステップＳ２０７：Ｙ）、光感受性発作防止目的以外の映像加工が禁止されていると判断し、ステップＳ２１２へ移行する。
【００７１】
制御部１５は、ステップＳ２０７（Ｎ）から移行して、編集点情報Ｅ＝０（編集点情報が送られてきていない）か否かを判定する（ステップＳ２０８）。
【００７２】
制御部１５は、ステップＳ２０８において、編集点情報Ｅ＝０でないと判定した場合（ステップＳ２０８：Ｎ）、編集点情報が送られてきていると判断し、ステップＳ２０９へ移行する。
【００７３】
一方、制御部１５は、ステップＳ２０８において、編集点情報Ｅ＝０であると判定した場合（ステップＳ２０８：Ｙ）、編集点情報が送られてきていないと判断し、ステップＳ２１０へ移行する。
【００７４】
制御部１５は、ステップＳ２０８（Ｎ）から移行して、編集点情報Ｅ＝１（現時点の映像がカット点でない）か否かを判定する（ステップＳ２０９）。
【００７５】
制御部１５は、ステップＳ２０９において、編集点情報Ｅ＝１でないと判定した場合（ステップＳ２０９：Ｎ）、現時点の映像がカット点であると判断し、ステップＳ２１１へ移行する。
【００７６】
一方、制御部１５は、ステップＳ２０９において、編集点情報Ｅ＝１であると判定した場合（ステップＳ２０９：Ｙ）、現時点の映像がカット点でないと判断し、ステップＳ２１２へ移行する。
【００７７】
制御部１５は、ステップＳ２０８（Ｙ）から移行して、カット検出値Ｃ＝０（現時点の映像がカット点でない）であるか否かを判定する（ステップＳ２１０）。
【００７８】
制御部１５は、ステップＳ２１０において、カット検出値Ｃ＝０でないと判定した場合（ステップＳ２１０：Ｎ）、現時点の映像がカット点であると判断し、ステップＳ２１１へ移行する。
【００７９】
一方、制御部１５は、ステップＳ２１０において、カット検出値Ｃ＝０であると判定した場合（ステップＳ２１０：Ｙ）、現時点の映像がカット点でないと判断し、ステップＳ２１２へ移行する。
【００８０】
制御部１５は、ステップＳ２０９（Ｎ）またはステップＳ２１０（Ｎ）から移行して、映像加工モードＭ＝０，１に２を加算する。そして、制御部１５は、映像加工モードＭ＝２（映像加工として黒フェード挿入を行う），３（映像加工として時間方向平滑化及び黒フェード挿入を行う）を設定し（ステップＳ２１１）、ステップＳ２１２へ移行する。
【００８１】
制御部１５は、ステップＳ２０６（Ｙ）、ステップＳ２０７（Ｙ）、ステップＳ２０９（Ｙ）、ステップＳ２１０（Ｙ）またはステップＳ２１１から移行して、映像加工モードＭを映像加工部１６に出力する（ステップＳ２１２）。
【００８２】
このように、光感受性発作を起こす可能性のある観視者が映像を観視しており、かつ映像解析部１３により生成されたフリッカ検出値Ｆが所定の閾値（２５）を超えている場合には、映像加工として時間方向平滑化を行うように、ステップＳ２０５において、映像加工モードＭの最下位ビットに１が設定される。
【００８３】
また、映像処理装置１が３Ｄ映像コンテンツに対応しており、かつ映像加工が許諾されている場合には、映像のカット点に対し、視点移動に起因する違和感（ワープ感）を抑えるため、黒フェードを挿入する。
【００８４】
これを実現するため、データ受信部１２による編集点情報が得られる場合には、当該編集点情報に基づいてカット点の有無が判定される。一方、データ受信部１２により編集点情報が得られない場合には、映像解析部１３により生成された解析結果に基づいて、カット点の有無が判定される。そして、カット点であると判定された場合には、映像加工として黒フェード挿入を行うように、ステップＳ２１１において、映像加工モードＭの最下位から２番目のビットに１が設定される。
【００８５】
これにより、映像加工部１６へ出力される映像加工モードＭの下位２ビットには、映像加工として時間方向平滑化を行うか否かの情報、及び、映像加工として黒フェード挿入を行うか否かの情報が設定される。つまり、映像加工モードＭには、映像加工を行わない、映像加工として時間方向平滑化を行う、映像加工として黒フェード挿入を行う、及び、映像加工として時間方向平滑化及び黒フェード挿入を行うことのいずれかの情報が含まれる。
【００８６】
尚、前記実施形態では、制御部１５は、図２に示した場合分け（if-then）ルールにより映像の加工内容を決定するようにしたが、これは一例であり、他のルールを用いるようにしてもよい。例えば、制御部１５は、機械学習された学習モデルを用いて、映像の加工内容を決定するようにしてもよい。学習モデルの例として、加工可否情報Ｒ及び編集点情報Ｅのデータ、カット検出値Ｃ及びフリッカ検出値Ｆの解析結果、並びに光感受性発作リスクフラグＰ及び３Ｄ対応フラグＤのプロファイルを入力データとし、映像加工モードＭの制御値を出力データとするニューラルネットワーク、サポートベクターマシン、決定木、ランダムフォレスト等が用いられる。
【００８７】
図１に戻って、映像加工部１６は、映像受信部１１から映像信号の画素値列Ｉを入力すると共に、制御部１５から映像の加工内容を示す制御値を入力する。そして、映像加工部１６は、制御値に応じて、映像信号の画素値列Ｉに対して映像加工を行い（または映像加工を行わず）、加工結果（または画素値列Ｉ）を映像信号Ｊとして生成し、映像信号Ｊを出力する。
【００８８】
映像加工は、現時点ｔのみの画素値列Ｉ（現時点のフレーム）に対する処理であってもよいし、未来の時点の画素値列Ｉ（未来のフレーム）に対する処理であってもよい。また、映像加工は、過去の時点の画素値列Ｉ（過去のフレーム）に対する処理であってもよい。この場合、映像加工部１６は、画素値列Ｉをバッファに格納するバッファリングを行い、バッファに格納された画素値列Ｉを加工した後、加工結果に時間遅れ処理を施し、映像信号Ｊを出力する。
【００８９】
映像加工部１６は、映像信号Ｊを表示デバイス（テレビ画面の他、映像処理装置１が３Ｄ映像コンテンツに対応している場合には、ヘッドマウントディスプレイ等の表示デバイスを含む）に出力するようにしてもよい。これにより、表示デバイスには、映像信号Ｊが表示される。また、映像加工部１６は、映像信号Ｊを録画装置、映像切替機等の機器に出力するようにしてもよい。
【００９０】
ここでは、映像加工部１６は、映像受信部１１から映像信号の画素値列Ｉを入力すると共に、制御部１５から映像加工モードＭの制御値を入力する。そして、映像加工部１６は、映像加工モードＭに応じて、映像信号の画素値列Ｉに対して映像加工を行い（または映像加工を行わず）、加工結果（または画素値列Ｉ）を映像信号Ｊとして出力する。
【００９１】
具体的には、映像加工部１６は、映像加工モードＭ＝０である場合、映像信号の画素値列Ｉに対して映像加工を行わず、以下の式にて、入力した映像信号の画素値列Ｉを映像信号Ｊとして出力する。
【数２】
2019103099.tif 000004
【００９２】
また、映像加工部１６は、映像加工モードＭ＝１である場合、以下の式にて、映像信号の画素値列Ｉに対して時間方向平滑化の映像加工を行い、映像信号Ｊを生成して出力する。
【数３】
2019103099.tif 000005
Ｎは、平滑化に用いる時点数（フレーム数）であり、２以上の整数とする。例えば、毎秒６０フレームの映像信号に対してＮ＝２０とすると、映像加工部１６は、過去１／３秒分の映像信号の画素値列Ｉに対する相加平均を算出し、算出結果を映像信号Ｊとして出力する。
【００９３】
また、映像加工部１６は、映像加工モードＭ＝２である場合、映像信号の画素値列Ｉに対して黒フェード挿入の映像加工を行い、映像信号Ｊを生成して出力する。すなわち、映像加工部１６は、映像信号のカット点を基準に、フェードアウトして黒画面へ移行した後、黒画面からフェードインするように映像加工を行う。
【００９４】
例えば、映像加工部１６は、Ｕ＜−１の整数Ｕ及びＶ＞＋１の整数Ｖに対して、現時点ｔを含んで前後に拡張した時刻ｔ＋Ｕ＋１〜ｔ＋Ｖ−１の時間範囲において、以下の式にて、黒フェードの挿入処理を行い、映像信号Ｊを生成して出力する。
【数４】
2019103099.tif 000006
例えばＵ＝−３０、Ｖ＝＋３０とする。
【００９５】
また、映像加工部１６は、映像加工モードＭ＝３である場合、以下の式にて、映像信号の画素値列Ｉに対して時間方向平滑化及び黒フェード挿入の映像加工を行い、映像信号Ｊを生成して出力する。
【数５】
2019103099.tif 000007
【００９６】
図３は、映像加工モードＭ＝１の場合に、点滅を含む映像に対して時間方向平滑化の映像加工を行う例を説明する図である。加工前の映像信号が激しく点滅するフレームａ１〜ａ５である場合に、制御部１５により、映像加工モードＭ＝１が設定されたとする。
【００９７】
映像加工部１６は、映像加工モードＭ＝１を判定し、加工前の映像信号であるフレームａ１〜ａ５の画素値列Ｉに対し、前記式（３）にて時間方向平滑化の映像加工を行う。そして、映像加工部１６は、加工後の映像信号として、時間方向に平滑化したフレームｂ１〜ｂ５の映像信号Ｊを生成する。
【００９８】
図４は、映像加工モードＭ＝２の場合に、カットによる場面転換を含む映像に対して黒フェード挿入の映像加工を行う例を説明する図である。加工前の映像信号が、フレームａ３をカット点αとするフレームａ１〜ａ５である場合に、制御部１５により、映像加工モードＭ＝２が設定されたとする。
【００９９】
映像加工部１６は、映像加工モードＭ＝２を判定し、加工前の映像信号であるフレームａ１〜ａ５の画素値列Ｉに対し、前記式（４）にて黒フェード挿入の映像加工を行う。そして、映像加工部１６は、加工後の映像信号として、カット点α付近のフレームｂ３を黒一色とし、その前後をフェードでつなぐ黒フェード挿入したフレームｂ１〜ｂ５の映像信号Ｊを生成する。
【０１００】
以上のように、本発明の実施形態の映像処理装置１によれば、データ受信部１２は、制御信号を受信し、制御信号から、映像信号を加工する際に補助となるデータを抽出し、映像解析部１３は、映像信号の画素値列Ｉを解析し、映像の変化の特徴を示す解析結果を生成する。
【０１０１】
制御部１５は、プロファイル蓄積部１４から、観視者情報及び端末情報のプロファイルを入力し、データ受信部１２により抽出されたデータ、映像解析部１３により解析された解析結果、及びプロファイル蓄積部１４から入力したプロファイルに基づいて、映像の加工内容を決定し、映像の加工内容を示す制御値を設定する。そして、映像加工部１６は、制御部１５により設定された制御値に応じて、映像信号を加工する。
【０１０２】
これにより、例えば送信装置から送信され、映像信号の制作者の意図が反映されたコンテンツデータ（前述の特許文献２では代替提示コンテンツ）及びメタデータを用いることなく、映像信号を加工することができ、処理負荷を低減することができる。また、送信装置において、観視者及び観視環境による条件を考慮したコンテンツデータを生成する必要がなく、メタデータも生成する必要がないから、送信装置の処理負荷を低減することができる。
【０１０３】
また、映像の加工内容は、映像信号の制作者の意図が反映されたコンテンツデータ及びメタデータの範囲で決定されることがなく、映像信号の解析結果、制御信号、観視者の情報及び観視環境の情報に基づいて決定されるから、映像信号の制作者の意図よりも、観視者及び観視環境を反映した内容となる。したがって、映像を観視する観視者の視覚的負担を、簡易な構成にて確実に軽減することができ、観視者の疲労も軽減することが可能となる。
【０１０４】
さらに、映像信号の解析結果及び制御信号に反映される制作者の意図、観視者及び観視環境を勘案しつつ、映像信号を適切に加工することができるから、映像制作上の演出効果と観視者の安全の均衡を保った最適な状態で、映像観視が可能となる。
【０１０５】
〔他の構成例１〕
次に、本発明の実施形態について、他の構成例１（第１構成例）を説明する。図５は、本発明の実施形態における他の第１構成例を示すブロック図である。この映像処理装置２は、映像受信部１１、映像解析部１３、プロファイル蓄積部１４、制御部１７及び映像加工部１６を備えている。
【０１０６】
図１に示した映像処理装置１とこの映像処理装置２とを比較すると、両映像処理装置１，２は、映像受信部１１、映像解析部１３、プロファイル蓄積部１４及び映像加工部１６を備えている点で共通する。一方、映像処理装置２は、データ受信部１２を備えておらず、映像処理装置１の制御部１５とは異なる制御部１７を備えている点で、映像処理装置１と相違する。
【０１０７】
映像受信部１１、映像解析部１３、プロファイル蓄積部１４及び映像加工部１６は、図１にて説明済みであるから、ここでは説明を省略する。
【０１０８】
制御部１７は、映像解析部１３から解析結果を入力すると共に、プロファイル蓄積部１４からプロファイルを入力する。そして、制御部１７は、解析結果及びプロファイルに基づいて、映像の加工内容を決定し、映像の加工内容を示す制御値を映像加工部１６に出力する。
【０１０９】
例えば、制御部１７は、映像解析部１３から解析結果としてカット検出値Ｃ及びフリッカ検出値Ｆを入力すると共に、プロファイル蓄積部１４から光感受性発作リスクフラグＰ及び３Ｄ対応フラグＤのプロファイルを入力する。そして、制御部１７は、カット検出値Ｃ、フリッカ検出値Ｆ、光感受性発作リスクフラグＰ及び３Ｄ対応フラグＤに基づいて、映像の加工内容を決定し、映像加工モードＭの制御値を映像加工部１６に出力する。
【０１１０】
具体的には、制御部１７は、図２の処理例に示した全てのステップのうち、ステップＳ２０７〜ステップＳ２０９を除いたステップＳ２０１〜ステップＳ２０６及びステップＳ２１０〜ステップＳ２１２の処理を行う。
【０１１１】
図２を参照して、制御部１７は、ステップＳ２０１において、映像解析部１３からカット検出値Ｃ及びフリッカ検出値Ｆの解析結果を入力すると共に、プロファイル蓄積部１４から光感受性発作リスクフラグＰ及び３Ｄ対応フラグＤのプロファイルを入力する。
【０１１２】
制御部１７は、ステップＳ２０１〜ステップＳ２０５の処理の後、ステップＳ２０６において、３Ｄ対応フラグＤ＝０でないと判定した場合、映像処理装置２が３Ｄ映像コンテンツに対応していると判断し、ステップＳ２１０へ移行する。そして、制御部１７は、ステップＳ２１０において、カット検出値Ｃ＝０（現時点の映像がカット点でない）であるか否かを判定する。
【０１１３】
制御部１７は、ステップＳ２１０において、カット検出値Ｃ＝０でないと判定した場合、現時点の映像がカット点であると判断し、ステップＳ２１１へ移行する。一方、制御部１７は、ステップＳ２１０において、カット検出値Ｃ＝０であると判定した場合、現時点の映像がカット点でないと判断し、ステップＳ２１２へ移行する。
【０１１４】
以上のように、本発明の実施形態の映像処理装置２によれば、映像解析部１３は、映像信号の画素値列Ｉを解析し、映像の変化の特徴を示す解析結果を生成する。制御部１７は、プロファイル蓄積部１４から、観視者情報及び端末情報のプロファイルを入力し、映像解析部１３により解析された解析結果、及びプロファイル蓄積部１４から入力したプロファイルに基づいて、映像の加工内容を決定し、映像の加工内容を示す制御値を設定する。そして、映像加工部１６は、制御部１７により設定された制御値に応じて、映像信号を加工する。
【０１１５】
これにより、図１に示した映像処理装置１と同様に、映像を観視する観視者の視覚的負担を、簡易な構成にて確実に軽減することができ、観視者の疲労も軽減することが可能となる。また、映像制作上の演出効果と観視者の安全の均衡を保った最適な状態で、映像観視が可能となる。
【０１１６】
〔他の構成例２〕
次に、本発明の実施形態について、他の構成例２（第２構成例）を説明する。図６は、本発明の実施形態における他の第２構成例を示すブロック図である。この映像処理装置３は、映像受信部１１、データ受信部１２、プロファイル蓄積部１４、制御部１８及び映像加工部１６を備えている。
【０１１７】
図１に示した映像処理装置１とこの映像処理装置３とを比較すると、両映像処理装置１，３は、映像受信部１１、データ受信部１２、プロファイル蓄積部１４及び映像加工部１６を備えている点で共通する。一方、映像処理装置３は、映像解析部１３を備えておらず、映像処理装置１の制御部１５とは異なる制御部１８を備えている点で、映像処理装置１と相違する。
【０１１８】
映像受信部１１、データ受信部１２、プロファイル蓄積部１４及び映像加工部１６は、図１にて説明済みであるから、ここでは説明を省略する。
【０１１９】
制御部１８は、データ受信部１２からデータを入力すると共に、プロファイル蓄積部１４からプロファイルを入力する。そして、制御部１８は、データ及びプロファイルに基づいて、映像の加工内容を決定し、映像の加工内容を示す制御値を映像加工部１６に出力する。
【０１２０】
例えば、制御部１８は、データ受信部１２から加工可否情報Ｒ及び編集点情報Ｅのデータを入力すると共に、プロファイル蓄積部１４から光感受性発作リスクフラグＰ及び３Ｄ対応フラグＤのプロファイルを入力する。そして、制御部１８は、加工可否情報Ｒ、編集点情報Ｅ、光感受性発作リスクフラグＰ及び３Ｄ対応フラグＤに基づいて、映像の加工内容を決定し、映像加工モードＭの制御値を映像加工部１６に出力する。
【０１２１】
具体的には、制御部１８は、図２の処理例に示した全てのステップのうち、ステップＳ２０４及びステップＳ２１０を除いたステップＳ２０１〜ステップＳ２０３、ステップＳ２０５〜ステップＳ２０９、ステップＳ２１１及びステップＳ２１２の処理を行う。
【０１２２】
図２を参照して、制御部１８は、ステップＳ２０１において、データ受信部１２から加工可否情報Ｒ及び編集点情報Ｅのデータを入力すると共に、プロファイル蓄積部１４から光感受性発作リスクフラグＰ及び３Ｄ対応フラグＤのプロファイルを入力する。
【０１２３】
制御部１８は、ステップＳ２０１及びステップＳ２０２の処理の後、ステップＳ２０３において、光感受性発作リスクフラグＰ＝０でないと判定した場合、観視者に光感受性発作のリスクがあると判断し、ステップＳ２０５へ移行する。そして、制御部１８は、ステップＳ２０５において、映像加工モードＭ＝０に１を加算し、映像加工モードＭ＝１（映像加工として時間方向平滑化を行う）を設定する。
【０１２４】
また、制御部１８は、ステップＳ２０８において、編集点情報Ｅ＝０であると判定した場合、編集点情報が送られてきていないと判断し、ステップＳ２１２へ移行する。
【０１２５】
尚、データ受信部１２は、制御信号からフリッカの有無及びフリッカの程度を示すフリッカ情報を抽出し、制御部１８は、データ受信部１２から、フリッカ情報を含むデータを入力するようにしてもよい。この場合、制御部１８は、ステップＳ２０３において、光感受性発作リスクフラグＰ＝０でないと判定した場合、観視者に光感受性発作のリスクがあると判断し、入力したフリッカ情報のデータに基づいて、フリッカの程度が所定値（例えば、フリッカしている領域が全面積の２５％）を超えていると判定した場合、ステップＳ２０５へ移行し、映像加工モードＭ＝１を設定する。
【０１２６】
以上のように、本発明の実施形態の映像処理装置３によれば、データ受信部１２は、制御信号を受信し、制御信号から、映像信号を加工する際に補助となるデータを抽出する。制御部１８は、プロファイル蓄積部１４から、観視者情報及び端末情報のプロファイルを入力し、データ受信部１２により抽出されたデータ、及びプロファイル蓄積部１４から入力したプロファイルに基づいて、映像の加工内容を決定し、映像の加工内容を示す制御値を設定する。そして、映像加工部１６は、制御部１８により設定された制御値に応じて、映像信号を加工する。
【０１２７】
これにより、図１に示した映像処理装置１と同様に、映像を観視する観視者の視覚的負担を、簡易な構成にて確実に軽減することができ、観視者の疲労も軽減することが可能となる。また、映像制作上の演出効果と観視者の安全の均衡を保った最適な状態で、映像観視が可能となる。
【０１２８】
以上、実施形態を挙げて本発明を説明したが、本発明は前記実施形態に限定されるものではなく、その技術思想を逸脱しない範囲で種々変形可能である。例えば、図１に示した映像処理装置１、図５に示した映像処理装置２及び図６に示した映像処理装置３は、映像信号の放送波を受信するテレビジョン受信機であってもよい。また、映像処理装置１，２，３は、映像信号を例えば蓄積媒体から読み出す映像再生装置であってもよい。
【０１２９】
また、前記実施形態では、データ受信部１２により抽出されるデータを加工可否情報Ｒ及び編集点情報Ｅとし、映像解析部１３により生成される解析結果をカット検出値Ｃ及びフリッカ検出値Ｆとし、プロファイル蓄積部１４から入力されるプロファイルを光感受性発作リスクフラグＰ及び３Ｄ対応フラグＤとし、制御部１５，１７，１８により生成される制御値を映像加工モードＭ（加工を行わない、時間方向平滑化、黒フェード挿入、時間方向平滑化及び黒フェード挿入のいずれかを示す値）として説明した。
【０１３０】
本発明は、データ受信部１２により抽出されるデータ、映像解析部１３により解析される解析結果、プロファイル蓄積部１４から入力されるプロファイル、及び制御部１５，１７，１８により生成される制御値を、前述の情報に限定するものではない。前述の情報は一例である。
【０１３１】
尚、本発明の実施形態による映像処理装置１，２，３のハードウェア構成としては、通常のコンピュータを使用することができる。映像処理装置１，２，３は、ＣＰＵ、ＲＡＭ等の揮発性の記憶媒体、ＲＯＭ等の不揮発性の記憶媒体、及びインターフェース等を備えたコンピュータによって構成される。
【０１３２】
映像処理装置１に備えた映像受信部１１、データ受信部１２、映像解析部１３、プロファイル蓄積部１４、制御部１５及び映像加工部１６の各機能は、これらの機能を記述したプログラムをＣＰＵに実行させることによりそれぞれ実現される。また、映像処理装置２に備えた映像受信部１１、映像解析部１３、プロファイル蓄積部１４、制御部１７及び映像加工部１６の各機能も、これらの機能を記述したプログラムをＣＰＵに実行させることによりそれぞれ実現される。さらに、映像処理装置３に備えた映像受信部１１、データ受信部１２、プロファイル蓄積部１４、制御部１８及び映像加工部１６の各機能も、これらの機能を記述したプログラムをＣＰＵに実行させることによりそれぞれ実現される。
【０１３３】
これらのプログラムは、前記記憶媒体に格納されており、ＣＰＵに読み出されて実行される。また、これらのプログラムは、磁気ディスク（フロッピー（登録商標）ディスク、ハードディスク等）、光ディスク（ＣＤ−ＲＯＭ、ＤＶＤ等）、半導体メモリ等の記憶媒体に格納して頒布することもでき、ネットワークを介して送受信することもできる。
【符号の説明】
【０１３４】
１，２，３  映像処理装置
１１  映像受信部（映像信号入力部）
１２  データ受信部（制御信号入力部）
１３  映像解析部
１４  プロファイル蓄積部
１５，１７，１８  制御部
１６  映像加工部
Ｉ  画素値列
Ｒ  加工可否情報
Ｅ  編集点情報
Ｃ  カット検出値
Ｆ  フリッカ検出値
Ｐ  光感受性発作リスクフラグ
Ｄ  ３Ｄ対応フラグ
Ｍ  映像加工モード
Ｊ  映像信号
Ｓ  絶対値差分の総和
ａ１〜ａ５，ｂ１〜ｂ５  フレーム
α  カット点
θ  閾値
【図１】
2019103099.tif 000008
【図２】
2019103099.tif 000009
【図３】
2019103099.tif 000010
【図４】
2019103099.tif 000011
【図５】
2019103099.tif 000012
【図６】
2019103099.tif 000013